(57)【要約】【課題】カートリッジのシャッタ開閉動作時に、ラッチ部材とシャッタ開閉部材との干渉を回避してスムーズなシャッタ開閉動作を行わせる。【解決手段】ディスク装置（１）は、ディスクを内包するカートリッジ（２）が装置本体に搬入されてからディスク装填位置まで移送される間に、カートリッジ（２）に対して相対移動するシャッタ開閉部材（７０）が、カートリッジ（２）のピックアップ用開口部（２１）のシャッタ（２０）をラッチ部材（３０）を解除して開放させる。また、ディスク装置（１）は、シャッタ開閉部材（７０）によるシャッタ（２０）の開閉動作中、シャッタ開閉部材（７０）の動作を妨げることなくラッチ部材（３０）をラッチ解除位置へ変位させて保持するラッチ解除手段（５０，８０）を備える。【選択図】図５
2005100495.tif 000002
【特許請求の範囲】
【請求項１】
ディスクを内包するカートリッジが装置本体に搬入されてからディスク装填位置まで移送される間に、カートリッジに対して相対移動するシャッタ開閉部材が、カートリッジのピックアップ用開口部を開閉するシャッタをラッチ部材を解除して開放させるディスク装置のシャッタラッチ解除機構において、
前記シャッタ開閉部材による前記シャッタの開閉動作中、当該シャッタ開閉部材の動作を妨げることなく前記ラッチ部材をラッチ解除位置へ変位させて保持するラッチ解除手段を備えたことを特徴とするディスク装置のシャッタラッチ解除機構。
【請求項２】
ディスクを内包し、かつ、ディスクの記録面にピックアップを臨ませる開口部を開閉するシャッタおよびこのシャッタを閉鎖状態にラッチするラッチ部材を有するカートリッジが載置される載置部材と、この載置部材が駆動手段により搬入・搬出される装置本体と、前記載置部材の搬入時に当該載置部材との相対移動により前記ラッチ部材を解除して前記シャッタを開放させるシャッタ開閉部材とを備えたディスク装置のシャッタラッチ解除機構において、
前記載置部材に待機位置と作動位置とを切り換え可能に設けられ、作動位置にあるとき当該載置部材に載置されたカートリッジの前記ラッチ部材を解除位置へ変位させるラッチ解除部材と、
前記シャッタ開閉部材による前記シャッタの開閉動作中、前記ラッチ解除部材を当該シャッタ開閉部材に接触させずに前記作動位置に切り換えて保持する解除保持部材と、
を備えたことを特徴とするディスク装置のシャッタラッチ解除機構。
【請求項３】
前記シャッタ開閉部材は、前記載置部材を移動可能に保持して前記駆動手段により前記装置本体に搬入・搬出させるホルダ部材に設けられ、
前記ラッチ解除部材は、前記載置部材に支軸を介して揺動可能に、かつ、前記待機位置側へ付勢して取り付けられ、
前記解除保持部材は、前記シャッタ開閉部材に隣接して前記ホルダ部材に設けられ、前記シャッタ開閉部材による前記シャッタの開放端位置では前記ラッチ解除部材の切り換え保持を解消して前記待機位置に復帰させることを特徴とする請求項２記載のディスク装置のシャッタラッチ解除機構。
【発明の詳細な説明】
【技術分野】
【０００１】
本発明は、ディスク装置に用いられるディスクを内包したカートリッジのシャッタラッチ解除機構に関するものである。
【背景技術】
【０００２】
一般に、ディスク装置に用いられるカートリッジには、ディスクを回転自在に収容し、かつ、ディスクの記録面にピックアップを臨ませる開口部を開閉可能なシャッタが取り付けられ、使用時以外はこのシャッタを閉鎖状態にラッチするラッチ部材を備えたものがある。
【０００３】
このようなカートリッジは、ディスク装置に装填して使用されるとき以外は、ラッチ部材がシャッタを閉鎖状態にラッチすることでディスクの保護を確実にするものであり、そのためラッチ部材は、外力によってラッチ解除位置へ変位されない限り、シャッタを閉鎖状態にラッチするラッチ位置に保持されるようになっている。
【０００４】
そのため、ディスク装置には、カートリッジの搬入時に、シャッタ開放に先だってまずラッチ部材をラッチ解除位置へ変位させることでシャッタのラッチを解除し、そのうえでシャッタを開放させるシャッタ開閉部材を設ける必要がある。
【０００５】
このような要求に応えるため、従来のディスク装置は、カートリッジの搬入時にカートリッジに対して相対移動するシャッタ開閉部材を設け、このシャッタ開閉部材が、カートリッジとの相対移動にともなってまずラッチ部材を解除したのち、続いてシャッタを開放させるように構成されている。
【特許文献１】特開２００３−１１５１５５号公報
【発明の開示】
【発明が解決しようとする課題】
【０００６】
しかしながら、このような従来のディスク装置は、ラッチ部材の解除動作とシャッタの開放動作という異なる動作を、単体として機能するシャッタ開閉部材がカートリッジとの相対移動という単一の動作によって行うものであるため、ラッチ部材とシャッタ開閉部材との干渉により異音が発生する。
【０００７】
すなわち、シャッタ開閉部材がカートリッジとの相対移動の初期にラッチ部材をラッチ解除位置へ変位させることで、ラッチ部材の解除動作は終了する。それにもかかわらず、その後も、シャッタ開閉部材が相対移動の進行にともなってシャッタの開放動作を行っている間中、ラッチ部材はシャッタ開閉部材と干渉し続けるため、異音が発生するという問題があった。
【０００８】
本発明はこのような問題点に鑑みなされたものであり、カートリッジのシャッタ開閉動作時に、ラッチ部材とシャッタ開閉部材との干渉を回避してスムーズなシャッタ開閉動作を行わせることのできるディスク装置のシャッタラッチ解除機構を提供することを目的とする。
【課題を解決するための手段】
【０００９】
本発明は、上述した従来の技術の課題を解決するものであって、請求項１に係る発明は、ディスクを内包するカートリッジが装置本体に搬入されてからディスク装填位置まで移送される間に、カートリッジに対して相対移動するシャッタ開閉部材が、カートリッジのピックアップ用開口部を開閉するシャッタをラッチ部材を解除して開放させるディスク装置のシャッタラッチ解除機構において、前記シャッタ開閉部材による前記シャッタの開閉動作中、当該シャッタ開閉部材の動作を妨げることなく前記ラッチ部材をラッチ解除位置へ変位させて保持するラッチ解除手段を備えたディスク装置のシャッタラッチ解除機構である。
【００１０】
請求項２に係る発明は、ディスクを内包し、かつ、ディスクの記録面にピックアップを臨ませる開口部を開閉するシャッタおよびこのシャッタを閉鎖状態にラッチするラッチ部材を有するカートリッジが載置される載置部材と、この載置部材が駆動手段により搬入・搬出される装置本体と、前記載置部材の搬入時に当該載置部材との相対移動により前記ラッチ部材を解除して前記シャッタを開放させるシャッタ開閉部材とを備えたディスク装置のシャッタラッチ解除機構において、前記載置部材に待機位置と作動位置とを切り換え可能に設けられ、作動位置にあるとき当該載置部材に載置されたカートリッジの前記ラッチ部材を解除位置へ変位させるラッチ解除部材と、前記シャッタ開閉部材による前記シャッタの開閉動作中、前記ラッチ解除部材を当該シャッタ開閉部材に接触させずに前記作動位置に切り換えて保持する解除保持部材と、を備えたディスク装置のシャッタラッチ解除機構である。
【００１１】
請求項３に係る発明は、請求項２記載の発明において、前記シャッタ開閉部材は、前記載置部材を移動可能に保持して前記駆動手段により前記装置本体に搬入・搬出させるホルダ部材に設けられ、前記ラッチ解除部材は、前記載置部材に支軸を介して揺動可能に、かつ、前記待機位置側へ付勢して取り付けられ、前記解除保持部材は、前記シャッタ開閉部材に隣接して前記ホルダ部材に設けられ、前記シャッタ開閉部材による前記シャッタの開放端位置では前記ラッチ解除部材の切り換え保持を解消して前記待機位置に復帰させるディスク装置のシャッタラッチ解除機構である。
【発明の効果】
【００１２】
本発明のディスク装置のシャッタラッチ解除機構は、ディスクを内包するカートリッジが装置本体に搬入されてからディスク装填位置まで移送される間に、カートリッジに対して相対移動するシャッタ開閉部材が、カートリッジのピックアップ用開口部を開閉するシャッタをラッチ部材を解除して開放させるディスク装置において、前記シャッタ開閉部材による前記シャッタの開閉動作中、当該シャッタ開閉部材の動作を妨げることなく前記ラッチ部材をラッチ解除位置へ変位させて保持するラッチ解除手段を備えて構成したので、カートリッジのシャッタ開閉動作時に、ラッチ部材とシャッタ開閉部材とが干渉することを確実に回避させることができ、それにより、スムーズなシャッタ開閉動作を行わせることができる効果がある。
【発明を実施するための最良の形態】
【００１３】
以下、本発明の一実施の形態を、添付図面を参照して説明する。  
図１は、本発明によるシャッタラッチ解除機構を備えたディスク装置の一実施形態の要部を示す斜め上方から見た斜視図であり、このディスク装置１は、カートリッジ２が載置されるトレイ（載置部材）４と、トレイホルダ（ホルダ部材）６とを備えている。
【００１４】
図２はカートリッジ２の要部を示す斜視図、図３はトレイ（載置部材）４を示す底面図、図４はトレイホルダ（ホルダ部材）６を示す底面側から見た斜視図である。
【００１５】
図２に示すように、カートリッジ２は、図示しないディスク（光ディスク）を回転自在に収容したものであり、また、ディスクの記録面にディスク装置１の図示しないピックアップを臨ませる開口部２１を開閉するシャッタ２０と、使用時以外はこのシャッタ２０を閉鎖状態にラッチするラッチ部材３０とを備えている。
【００１６】
シャッタ２０は、カートリッジ２に対して回動可能に取り付けられた実質的に円盤の一部に開口部２１が形成されたものであり、カートリッジ２に対してその円盤の中心のまわりに回動することで開口部２１を開閉するようになっている。
【００１７】
また、シャッタ２０は、円盤の一部である円弧状外周面に、シャッタ係止孔２２と、操作用ギア２３と、操作用凹部２４とが円周方向に沿って順次形成されている。
【００１８】
ラッチ部材３０は、カートリッジ２に支軸３１を介して揺動可能に取り付けられたものであり、ラッチ爪３２と、作動レバー３３と、ラッチ爪３２をシャッタ係止孔２２に係合させる方向（Ａ１方向）に付勢する板バネ等の弾性体３４とを備えている。
【００１９】
図３に示すように、トレイ４は、左右両側（図３中、上下両側）に前後方向に沿って形成された案内溝４１と、一方の案内溝４１に隣接して平行に形成されたラックギア４２とを備えるとともに、隣接する案内溝４１とラックギア４２との間にラッチ解除部材５０が、待機位置と作動位置とを切り換え可能に設けられている。
【００２０】
そして、トレイホルダ６の左右両側に前後方向に形成されたレール６１（図４参照）に案内溝４１が係合し、ディスク装置１の図示しない駆動モータのピニオンギアがラックギア４２と噛合して回転することで、トレイ４は、トレイホルダ６のレール６１に沿ってディスク装置１の装置本体に対して前後方向に搬入・搬出されるようになっている。
【００２１】
ラッチ解除部材５０は、基端がトレイ４の下面に支軸５１を介して揺動可能に取り付けられ、しかも支軸５１から延びるレバー５２に板バネ等の弾性体５３が作用することで、待機位置側（Ｂ１方向）へ付勢して取り付けられたものである。
【００２２】
ラッチ解除部材５０のレバー５２の先端は、トレイ４に形成した開口４３を通ってトレイ４の上面側に突出し、その突出部分に突起部５４，５５が形成されている。
【００２３】
そして、ラッチ解除部材５０は、作動位置（Ｂ２方向）にあるとき、トレイ４に載置されたカートリッジ２のラッチ部材３０を解除位置（図２のＡ２方向）へ変位させるものである。
【００２４】
図４に示すように、トレイホルダ６は、トレイ４の搬入時にトレイ４との相対移動によりラッチ部材３０を解除してシャッタ２０を開放させるシャッタ開閉部材７０を備えている。
【００２５】
シャッタ開閉部材７０は、シャッタ２０の操作用凹部２４と係合するシャッタ駆動用突起７１が弾性体７２を介して形成され、また、シャッタ２０の操作用ギア２３と噛合する駆動用ギア７３が形成され、また、シャッタ２０のシャッタ係止孔２２と係合する駆動用突起７４が弾性体７５を介して形成されている。
【００２６】
また、トレイホルダ６は、シャッタ開閉部材７０によるシャッタ２０の開閉動作中、ラッチ部材３０を解除位置（図２のＡ２方向）へ変位させるラッチ解除部材５０を、シャッタ開閉部材７０に接触させずに作動位置（図３のＢ２方向）に切り換えて保持する解除保持部材８０を備えている。
【００２７】
解除保持部材８０は、トレイホルダ６に設けられてラッチ解除部材５０を作動位置（図３のＢ２方向）に切り換えて保持する作動カム８１と、作動カム８１に連なる位置にシャッタ開閉部材７０の一部として形成された作動カム８２とで構成される。
【００２８】
シャッタ開閉部材７０の作動カム８２の端部には、シャッタ開閉部材７０によるシャッタ２０の開放端位置でラッチ解除部材５０の切り換え保持を解消することで、弾性体５３の付勢力によるラッチ解除部材５０の待機位置（図３のＢ１方向）への復帰を許容する復帰カム８３が形成されている。
【００２９】
上記のように構成された本発明によるシャッタラッチ解除機構を備えたディスク装置１の作用について、図５〜図９を参照して説明する。
【００３０】
トレイホルダ６から引き出されたトレイ４の所定位置にカートリッジ２を載置したうえ、ディスク装置１の図示しない駆動モータを駆動すると、駆動モータのピニオンギアがラックギア４２と噛合して回転することで、トレイ４は、トレイホルダ６のレール６１に沿って一定速度でディスク装置１の装置本体に搬入されていく。
【００３１】
このトレイ４の搬入動作にともなって、シャッタ２０、ラッチ部材３０、ラッチ解除部材５０、シャッタ開閉部材７０および解除保持部材８０はつぎのように動作する。
【００３２】
（１）最初に、トレイ４の所定位置にカートリッジ２が載置されたとき、カートリッジ２のラッチ部材３０の作動レバー３３と、トレイ４のラッチ解除部材５０の突起部５５とが対応した位置にあるが、ラッチ解除部材５０は弾性体５３により待機位置側（Ｂ１方向）へ付勢されているため、突起部５５は作動レバー３３を押圧していない。（図５参照）
【００３３】
（２）トレイ４の搬入動作が開始すると、トレイホルダ６の作動カム８１がラッチ解除部材５０の突起部５４に係合し、弾性体５３の付勢力に抗してラッチ解除部材５０を待機位置から作動位置（Ｂ２方向）へ切り換える。
【００３４】
これにより、ラッチ解除部材５０の突起部５５が作動レバー３３を押圧することで、ラッチ部材３０は支軸３１のまわりに揺動（図２のＡ２方向）し、それによりラッチ爪３２がシャッタ係止孔２２から外れることで、ラッチ部材３０によるシャッタ２０のラッチ状態が解除される。（図６参照）
【００３５】
（３）トレイ４の搬入動作が進行すると、シャッタ開閉部材７０のシャッタ駆動用突起７１が、ラッチ部材３０の作動レバー３３に対応する位置に来るが、このときラッチ部材３０は既にラッチ解除部材５０によってラッチ解除位置に揺動されているから、シャッタ駆動用突起７１はラッチ部材３０の作動レバー３３に接触することなく通過する。（図７参照）
【００３６】
そのため、ここまでの過程で、シャッタ開閉部材７０のシャッタ駆動用突起７１とラッチ部材３０の作動レバー３３との干渉は発生せず、異音の発生も無い。
【００３７】
（４）トレイ４の搬入動作がさらに進行すると、トレイホルダ６の作動カム８１に代わってシャッタ開閉部材７０の作動カム８２がラッチ解除部材５０の突起部５４に係合し、弾性体５３の付勢力に抗してラッチ解除部材５０を作動位置に保持する。（図８参照）
【００３８】
また、この搬入動作の進行にともない、シャッタ開閉部材７０のシャッタ駆動用突起７１が、シャッタ２０の操作用凹部２４に係合して進行することで、シャッタ２０を回転させ始める。
【００３９】
さらに、シャッタ開閉部材７０の駆動用ギア７３が、シャッタ２０の操作用ギア２３に噛合し始め、シャッタ２０を回転させ続ける。
【００４０】
ここまでの過程で、シャッタ開閉部材７０の駆動用ギア７３とラッチ部材３０の作動レバー３３との干渉は発生せず、異音の発生も無い。
【００４１】
（５）トレイ４の搬入動作がさらに進行すると、シャッタ開閉部材７０の駆動用ギア７３とシャッタ２０の操作用ギア２３との噛合・進行によるシャッタ２０の回転が終了し、最後に、シャッタ開閉部材７０の駆動用突起７４がシャッタ２０のシャッタ係止孔２２に係合することで、シャッタ２０の開放動作が完了する。（図９参照）
【００４２】
このとき、ラッチ解除部材５０の突起部５４は、シャッタ開閉部材７０の作動カム８２との係合から復帰カム８３との係合に移行する。作動カム８２は、弾性体５３の付勢力に抗してラッチ解除部材５０を作動位置に保持するが、復帰カム８３はそのような作用がないため、ラッチ解除部材５０が作動位置から待機位置（Ｂ１方向）に復帰することで、ラッチ解除部材５０の突起部５５がラッチ部材３０の作動レバー３３を押圧していた押圧力は除去される。
【００４３】
しかも、ラッチ部材３０のラッチ爪３２に対応するシャッタ２０の外周部は、シャッタ係止孔２２の底とほぼ同一高さまで低く形成されているため、ラッチ解除部材５０の突起部５５がラッチ部材３０の作動レバー３３を押圧していた押圧力が除去されると、ラッチ部材３０は、弾性体３４の作用により支軸３１のまわりに揺動して待機位置（図２のＡ１方向）に復帰する。
【００４４】
これにより、シャッタ２０の開放動作が完了した後も、シャッタ２０が開放状態にある間ずっとラッチ部材３０がラッチ解除部材５０による押圧力を受け続けることで、ラッチ部材３０の弾性体３４が長時間押圧され続けることによって生じる塑性変形を回避させることが可能となる。
【図面の簡単な説明】
【００４５】
【図１】本発明によるディスク装置のシャッタラッチ解除機構の一実施形態の要部を示す斜視図である。
【図２】本発明の一実施形態のカートリッジの要部を示す斜視図である。
【図３】本発明の一実施形態のトレイを示す底面図である。
【図４】本発明の一実施形態のトレイホルダを示す底面側から見た斜視図である。
【図５】本発明の一実施形態においてトレイにカートリッジを載置した状態の要部を示す底面図である。
【図６】本発明の一実施形態においてカートリッジのラッチ解除状態をトレイを省略して示す底面図である。
【図７】本発明の一実施形態においてカートリッジのラッチ解除状態をトレイを省略して示す底面図である。
【図８】本発明の一実施形態においてカートリッジのラッチ解除状態をトレイを省略して示す底面図である。
【図９】本発明の一実施形態においてカートリッジのシャッタ開放状態をトレイを省略して示す底面図である。
【符号の説明】
【００４６】
１  ディスク装置
２  カートリッジ
４  トレイ（載置部材）
６  トレイホルダ（ホルダ部材）
２０  シャッタ
２１  開口部
２２  シャッタ係止孔
２３  操作用ギア
２４  操作用凹部
３０  ラッチ部材
３１  支軸
３２  ラッチ爪
３３  作動レバー
３４  弾性体
４１  案内溝
４２  ラックギア
４３  開口
５０  ラッチ解除部材
５１  支軸
５２  レバー
５３  弾性体
５４，５５  突起部
６１  レール
７０  シャッタ開閉部材
７１  シャッタ駆動用突起
７２  弾性体
７３  駆動用ギア
７４  駆動用突起
７５  弾性体
８０  解除保持部材
８１，８２  作動カム
８３  復帰カム
【図１】
2005100495.tif 000003
【図２】
2005100495.tif 000004
【図３】
2005100495.tif 000005
【図４】
2005100495.tif 000006
【図５】
2005100495.tif 000007
【図６】
2005100495.tif 000008
【図７】
2005100495.tif 000009
【図８】
2005100495.tif 000010
【図９】
2005100495.tif 000011